(57)【特許請求の範囲】
【請求項１】
ストレート吐水機能を有する吐水口と、シャワー吐水機能を有するシャワーヘッドとを別々の位置に配設するとともに、該吐水口からの吐水とシャワーヘッドからの吐水とを切り替える切替操作部を設けることなく、それら吐水口とシャワーヘッドとのそれぞれに、吐止水と吐水の流量調節とを行うための吐止水操作部と流調操作部とを設け、前記吐水口及びシャワーヘッドの各々の該吐止水操作部及び流調操作部の操作だけで吐止水及び吐水の流量調節を行い得るようになし、
且つ前記シャワーヘッドの流調操作部は、該シャワーヘッドにおける可撓性のホースとの接続側とは反対側の端部に設けてあることを特徴とする水栓設備。
【請求項２】
請求項１において、前記シャワーヘッドの前記吐止水操作部と流調操作部とが共に該シャワーヘッドの前記端部に設けてあることを特徴とする水栓設備。
【請求項３】
請求項２において、前記シャワーヘッドの前記吐止水操作部と流調操作部とは別々の操作部となしてあることを特徴とする水栓設備。
【請求項４】
請求項１〜３の何れかにおいて、前記シャワーヘッド用の吐止水操作部と流調操作部は該シャワーヘッドだけに設け、前記吐水口用の吐止水操作部と流調操作部は該吐水口だけに設けたことを特徴とする水栓設備。
【発明の詳細な説明】
【０００１】
【発明の属する技術分野】
この発明はストレート吐水機能を有する吐水口と、シャワー吐水機能を有するシャワーヘッドとを備えた水栓設備に関する。
【０００２】
【従来の技術】
従来、例えば浴室等に設置される水栓設備の場合、ストレート吐水を行う吐水口が洗い場床側に、またシャワー吐水を行うシャワーヘッドが水栓本体から延び出した可撓性のシャワーホースの先端部に接続されて、このシャワーヘッドが吐水口とは別途の位置、即ち壁等に設けられたシャワーフックに掛止される状態に設けられている。
【０００３】
図７はこの種従来の水栓設備の一例を示している。
同図において２００は水栓本体で、２０２は整流吐水且つストレート吐水を行う吐水口である。
ここで吐水口２０２は水栓本体２００に一体に設けられている。
この例において、水栓本体２００には湯水の混合を行う混合部と流路の切替えを行う切替弁とが内蔵してあり、後述の温調操作部２０８及び切替操作部２１０がそれら混合部及び切替弁に設けられている。即ち温調操作部２０８及び切替操作部２１０が水栓本体２００に設けられている。
【０００４】
２０４は吐水口２０２とは別の位置に設けられたシャワー吐水を行うシャワーヘッドで、水栓本体２００から延び出した可撓性のシャワーホース２０６の先端部に接続されている。
ここでシャワーヘッド２０４は、壁等に設けられたシャワーフックに掛止されてそこに保持されるようになっている。
【０００５】
２０８は吐水の温度調節を行う温調操作部で、この温調操作部２０８の操作により吐水口２０２からの吐水及びシャワーヘッド２０４からの吐水が適当な温度に調節される。
２１０は切替操作部であって、この切替操作部２１０の操作により吐水口２０２からの吐水とシャワーヘッド２０４からの吐水とが切り替えられる。
この切替操作部２１０はまた、それら吐水口２０２及びシャワーヘッド２０４からの吐水の切替えと併せてそれぞれからの吐水の流量調節を行う機能も有している。
【０００６】
【発明が解決しようとする課題】
しかしながらこの種従来の水栓設備の場合、吐水口２０２又はシャワーヘッド２０４からの吐水を切替操作部２１０の切替操作に基づいて行うようになしていることから、切替操作部２１０を不用意に操作してしまって本来吐水口２０２から吐水を行うべきところをシャワーヘッド２０４から吐水を行ってしまったり、或いは逆にシャワーヘッド２０４から吐水を行うべきところを吐水口２０２から吐水を行ってしまったりするなどの不都合が生じていた。
【０００７】
尤もシャワーヘッド２０４に吐止水操作用のスイッチを設けておいて、シャワーヘッド２０４を手に持った状態でシャワーヘッド２０４からの吐止水を手元操作で行い得るようになしたものも提案されている。
しかしながらその場合であってもシャワーヘッド２０４から吐水を行うためには、切替操作部２１０を予めシャワーヘッド２０４側に切り替えておかければならず、この場合切替操作部２１０の操作と、シャワーヘッド２０４に設けたスイッチの操作との２回の操作が必要であって、操作が面倒であり操作性が悪いといった問題があった。
【０００８】
更に加えてこの水栓設備の場合、例えば浴室内のレイアウト上シャワーヘッド２０４が水栓本体２００に対して左側の位置に来たり或いは右側の位置に来たりした場合に、切替操作部２１０の操作方向を左右逆方向に変更したり、或いはまたこれに伴って水栓本体２００の構造を変えたり或いはそれらの何れにも対応できるような構造に予め水栓本体２００を構成しておいたりする必要があり、そのために複数種類の水栓本体２００が必要となったり或いは水栓本体２００の構造が複雑化したりするなどの不都合があった。
【０００９】
【課題を解決するための手段】
本発明の水栓設備はこのような課題を解決するために案出されたものである。
而して請求項１のものは、ストレート吐水機能を有する吐水口と、シャワー吐水機能を有するシャワーヘッドとを別々の位置に配設するとともに、該吐水口からの吐水とシャワーヘッドからの吐水とを切り替える切替操作部を設けることなく、それら吐水口とシャワーヘッドとのそれぞれに、吐止水と吐水の流量調節とを行うための吐止水操作部と流調操作部とを設け、前記吐水口及びシャワーヘッドの各々の該吐止水操作部及び流調操作部の操作だけで吐止水及び吐水の流量調節を行い得るようになし、且つ前記シャワーヘッドの流調操作部は、該シャワーヘッドにおける可撓性のホースとの接続側とは反対側の端部に設けてあることを特徴とする。
【００１０】
請求項２のものは、請求項１において、前記シャワーヘッドの前記吐止水操作部と流調操作部とが共に該シャワーヘッドの前記端部に設けてあることを特徴とする。
【００１１】
請求項３のものは、請求項２において、前記シャワーヘッドの前記吐止水操作部と流調操作部とは別々の操作部となしてあることを特徴とする。
【００１２】
請求項４のものは、請求項１〜３の何れかにおいて、前記シャワーヘッド用の吐止水操作部と流調操作部は該シャワーヘッドだけに設け、前記吐水口用の吐止水操作部と流調操作部は該吐水口だけに設けたことを特徴とする。
【００１３】
【作用及び発明の効果】
上記のように本発明は、別々の位置に設けてある吐水口とシャワーヘッドとのそれぞれに吐止水操作部と流調操作部とを設け、各々の吐止水操作部及び流調操作部の操作だけで、吐止水及び吐水の流量調節を行い得るようになしたもので、即ち図７に示す切替操作部等の切替操作によらないで吐水口及びシャワーヘッドに備えてある吐止水操作部及び流量操作部を操作するだけで、吐水口から或いはシャワーヘッドからの吐止水と吐水の流量調節とを行い得るようになしたもので、本発明によれば、従来の水栓設備のように切替操作部を不用意に操作することによって吐水口から吐水すべきところをシャワーヘッドから吐水してしまったり、或いはその逆にシャワーヘッドから吐水すべきところを吐水口から吐水してしまうといった不都合を解消することができる。
【００１４】
また本発明によれば、吐水口の或いはシャワーヘッドの吐止水操作部及び流調操作部を操作するだけで、それぞれからの吐止水及び吐水の流量調節を行うことができ、操作に際しての面倒がなく吐止水及び吐水の流量調節のための操作性が良い利点を有する。
【００１５】
更にまた本発明の水栓設備にあっては、吐水口及びシャワーヘッドのそれぞれに吐止水操作部及び流調操作部が設けてあるため、シャワーヘッドが吐水口に対して左側の位置に来た場合にもまた右側の位置に来た場合にも、図７に示す従来の水栓設備のように切替操作部の操作方向を変更したり、水栓本体の構造を複雑化してしまうなどの問題を生じず、浴室のレイアウトの変更或いは異なったレイアウトに対し容易に対応できる利点が得られる。
【００１６】
ここで請求項１のものは、シャワーヘッドの流調操作部をシャワーヘッドにおける可撓性のホースとの接続側とは反対側の端部に設けておく。
この場合において、シャワーヘッドの吐止水操作部と流調操作部とを共にシャワーヘッドの上記端部に設けておくことができる（請求項２）。
【００１７】
更にこの場合において、シャワーヘッドの吐止水操作部と流調操作部とは別々の操作部となしておくことができる（請求項３）。
請求項４のものは、シャワーヘッド用の吐止水操作部と流調操作部をシャワーヘッドだけに設け、吐水口用の吐止水操作部と流調操作部を吐水口だけに設けておくことができる。
【００１８】
本発明においては、吐水口とシャワーヘッドとを湯水の混合部から離隔した位置に設けておき、その混合部に対し管体を通じ連絡しておくことができる。
また上記吐水口とシャワーヘッドとは共通のカウンターに設けておくことができる。
【００１９】
本発明ではまた、上記混合部に吐水の温度調節を行うための温調操作部を設けておくことができる。
この場合ストレート吐水を行う吐水口，シャワー吐水を行うシャワーヘッド，湯水混合を行う混合部のそれぞれに、即ち互いに機能の異なる３つの部材のそれぞれに対応した操作部が備えられることとなり、使用者にとって操作が分り易く且つ使い易い利点が得られる。
この場合において上記混合部及び温調操作部を、吐水口及びシャワーヘッドとともに共通のカウンターに設けておくことができる。
【００２０】
【実施例】
次に本発明の実施例を図面に基づいて詳しく説明する。
図１において、１は浴室に設置されたカウンターで、このカウンター１には湯と水とを混合し且つその温度調節を行う混合部２と、整流吐水且つストレート吐水を行う吐水口３と、シャワー吐水を行うシャワーヘッド４とがそれぞれ別々の位置に設けられている。
【００２１】
ここで混合部２とシャワーヘッド４とはカウンター１の奥部且つ傾斜面５に設けられており、また吐水口３はカウンター１の前端部に設けられている。
この混合部２と吐水口３とは硬質配管、詳しくはここでは金属配管（管体）６を通じて連絡されており、また混合部２とシャワーヘッド４とは可撓性のホース（管体）７を通じて連絡されている。
【００２２】
この例の水栓設備にあっては、混合部２からの混合水が金属配管６を通じて吐水口３へと導かれ或いはまたホース７を通じてシャワーヘッド４へと導かれる。
尚この例において、シャワーヘッド４はシャワー吐水と整流吐水且つストレート吐水とを行い得るもので、吐水をシャワー吐水から整流吐水且つストレート吐水に若しくはその逆に切り替えるための切替操作部８が設けてある。
【００２３】
図２に示しているように、混合部２には水，湯の供給管９が接続されており、それらを通じて混合部２に水と湯とが供給される。
混合部２はそれら供給された水と湯とを混合し、適当な温度の混合水とした上で或いはまた水，湯を単独で吐水口３又はシャワーヘッド４へと送り出す。
この混合部２には、水と湯との混合比率を調節して吐水の温度調節を行うための温調操作部１０がカウンター１の上面に露出する状態で設けられている。
尚図２において１１は継手管である。
【００２４】
図３に吐水口３の具体的構成が示してある。
同図に示しているように、吐水口３には吐止水と吐水の流量調節とを行うための吐水口ハンドル（吐止水操作部，流調操作部）１２が設けられており、この吐水口ハンドル１２の回転操作によって、吐出口１３からの吐水と止水及び吐水の流量調節が行われる。
ここで吐出口１３は吐水を整流束でストレート吐水する。
【００２５】
この吐水口３には、吐水口ボデー１４の内部に吐止水と吐水の流量調節とを制御する弁１５が内蔵されている。
本例において、弁１５はシリンダ式の弁であって円筒形状をなす回転可能な弁体１６と、弁体１６に水密に外嵌する弁ケーシング１７とを有している。
【００２６】
これら弁体１６及び弁ケーシング１７のそれぞれには通水用の開口１８，１９が設けられている。
この弁１５の場合、弁体１６の回転に伴って開口１８，１９が一致したときに水路が開放されて吐出口１３から吐水が行われ、またそれら開口１８，１９が不一致となったときに水路が遮断されて吐出口１３からの吐水が停止する。即ち止水される。
また開口１８，１９の重なり面積が変化することによって吐水の流量調節が行われる。
【００２７】
上記シャワーヘッド４には、図１に示しているようにその端部（図中上端部）にシャワーヘッド４からの吐水と止水とを行うための吐止水操作部２０と、吐水の流量調節を行うための流調操作部２２とが設けられている。
【００２８】
このシャワーヘッド４及びホース７の内部には、図４に示しているように大流量で水を流通させる主水路３６が形成されており、その主水路３６に沿ってその中心部に可撓性のチューブ３８が挿入配置されている。
チューブ３８は、その一端部が継手管１１内部に組み込まれたピストン式の主弁４２にパイプ４０を介して接続されている。
【００２９】
主弁４２はその内部に水路を有しており、この主弁４２，パイプ４０及びチューブ３８内部の水路によって、主弁４２の背面側に形成された背圧室４４に連通するパイロット水路４６が形成されている。
ここで背圧室４４は小孔４７を介して主水路３６の上流部、詳しくは背圧室４４の上流部に連通している。
【００３０】
主弁４２はピストン部４８を有していて、そのピストン部４８が円筒形の摺動面５０に摺動可能に嵌合されており、そして先端側の当接部５２が継手管１１に形成された弁座５４に当接し又はこれから離間することによって、主水路３６を閉鎖し又は開放する。
【００３１】
継手管１１の内部にはまた、主弁４２より上流側、詳しくは主弁４２による主水路３６の開閉部位よりも上流側にピストン式の減圧弁５６が組み込まれている。
減圧弁５６は大径のピストン部５８を有しており、そのピストン部５８が円筒形の摺動面６０に摺動可能に嵌合されている。
【００３２】
この減圧弁５６はその下流部分、詳しくは主水路３６における減圧弁５６の配設部位よりも下流部分の圧力が上昇して一定圧に達したとき、上流部と下流部とに対する受圧面積の差によって図中下向きに押動され、図６に拡大して示しているようにその当接部６６を弁座６２に接近させ又は当接させることによって、主水路３６を主弁４２の上流側で絞り又は閉鎖する。
【００３３】
即ち減圧弁５６は、弁座６２への接近又は当接によって主水路３６を絞り又は閉鎖し、以って下流側の主水路３６内の圧力をその上流側（一次側）の給水圧よりも低い圧力状態（減圧状態）に保つ働きをする。
尚この減圧弁５６は、スプリング６４により常時開弁方向に付勢されている。
また継手管１１の端部にはねじ式の接続口６８が設けられている。
【００３４】
シャワーヘッド４には、円筒形状のスプール弁から成る流量調節弁７０が、流調操作部２２と一体回転する状態で組み込まれている。
この流量調節弁７０は主水路３６の水の流量を調節するもので、周方向に略楔状をなす開口７２、即ち周方向に進むにつれて開口幅が漸次変化する開口７２を有している。
一方シャワーヘッド４（厳密にはシャワーヘッド４における本体側）には、主水路３６と吐出口８８とを連通させる円形の開口７４が形成されている。
【００３５】
本例において、主水路３６からの水はそれら開口７２，７４を経て吐出口８８へと流れ出す。
この場合流量調節弁７０が流調操作部２２とともに回転して開口７２の位置が変化することで、吐出口８８からの吐水流量が大→小へ若しくはその逆に変化せしめられる。
【００３６】
上記吐止水操作部２０は、この例では押ボタン式のもので図５にも示しているように逆カップ状をなす操作部材７６と、操作部材７６を押し込むごとにパイロット水路４６を開閉するためのパイロット弁７８を閉弁位置と開弁位置とに交互に保持するロック機構８０とを有している。
【００３７】
尚、パイロット弁７８は軸状の当接部８２を有しており、その当接部８２がチューブ３８端部の装着部材８４の弁座８６に当接することによってパイロット水路４６を閉鎖し（図５(Ａ)参照）、また弁座８６から離間することによってパイロット水路４６を開放する（図５(Ｂ)参照）。
【００３８】
尚、図５に示しているようにパイロット弁７８と主水路３６との間のシールは、主水路３６の端部に設けられたプラグ９０内周面のパッキンによって行われている。
【００３９】
本例の水栓設備の場合、吐止水操作部２０を押込操作すると、パイロット弁７８が図４及び図５（Ａ）に示す閉弁状態から図５（Ｂ）に示すように開弁動作し、ここにおいてパイロット水路４６が開かれ、続いて主弁４２が開弁動作（図６に示す状態）する。
これによりシャワーヘッド４の先端部まで水が主水路３６を通じて供給され、続いて流量調節弁７０，開口７２，７４を通じた後、吐出口８８から吐水される。
【００４０】
尚、図４の状態では流量調節弁７０がいっぱいまで開かれており、吐出口８８からは最大流量で水が吐水される。
この状態で流調操作部２２を回転操作し開口７２を漸次狭めて行くと、これに伴って吐出口８８からの吐水流量が減少変化する。
【００４１】
このように本例の水栓設備においては、吐水口３，シャワーヘッド４のそれぞれに吐水口ハンドル１２，吐止水操作部２０及び流調操作部２２が設けてあって、それらの操作により吐水口３から或いはシャワーヘッド４からの吐止水と吐水の流量調節とを行うことができるため、従来の切替操作部を設けた水栓設備のように、不用意な切替操作部の操作により吐水口３から吐水すべきところをシャワーヘッド４から吐水してしまったり、或いはその逆にシャワーヘッド４から吐水すべきところを吐水口３から吐水してしまうといった不都合を解消することができる。
【００４２】
また本例によれば、吐水口３，シャワーヘッド４からの吐止水及び吐水の流量調節を、それぞれに設けた吐水口ハンドル１２，吐止水操作部２０及び流調操作部２２をそれぞれ操作するだけで行うことができ、操作に際しての面倒がなく操作性が良好である。
【００４３】
更にまた本例によれば、吐水口３，シャワーヘッド４のそれぞれに吐水口ハンドル１２，吐止水操作部２０及び流調操作部２２を設けているため、シャワーヘッド４が吐水口３に対して左側の位置に来た場合にもまた右側の位置に来た場合にも、従来の切替操作部を設けた水栓設備のように切替操作部の操作方向を変更したり、水栓本体の構造を複雑化してしまうなどの問題を生じず、浴室のレイアウトの変更或いは異なったレイアウトに対し容易に対応できる利点が得られる。
【００４４】
本例ではまた湯水の混合部２に温調操作部１０を設けており、これにより吐水口３，シャワーヘッド４，混合部２のそれぞれに、即ち互いに機能の異なる３つの部材のそれぞれに対応した操作部（吐水口ハンドル１２，吐止水操作部２０及び流調操作部，温調操作部１０）が備えられることとなり、使用者にとって操作が分り易く且つ使い易い利点が得られる。
【００４５】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である水栓設備を示す図である。
【図２】  図１の混合部とその周辺部を示す図である。
【図３】  図１の吐水口の構成を具体的に示す図である。
【図４】  図１のシャワーヘッドの内部構造を図２の継手管の要部の内部構造とともに示す図である。
【図５】  図４におけるシャワーヘッド部分の要部を拡大して示す図である。
【図６】  図４の主弁とその周辺部を拡大して示す図である。
【図７】  本発明の背景説明のための説明図である。
【符号の説明】
１  カウンター
２  混合部
３  吐水口
４  シャワーヘッド
６  金属配管（管体）
７  ホース（管体）
１０  温調操作部
１２  吐水口ハンドル（吐止水操作部，流調操作部）
２０  吐止水操作部
２２  流調操作部
【図１】
0004527318.tif 000002
【図２】
0004527318.tif 000003
【図３】
0004527318.tif 000004
【図４】
0004527318.tif 000005
【図５】
0004527318.tif 000006
【図６】
0004527318.tif 000007
【図７】
0004527318.tif 000008